(57)【要約】【課題】ＩＨ式の電磁式コンロでは、加熱用の磁束が前方に漏洩し調理者に漏洩磁束が作用する。【解決手段】調理時に身につけるエプロンに磁性体の細線からなる網６を挟み込み、漏洩磁束を網６で吸収して防磁エプロン２から調理者側に通過させないようにした。【選択図】　図６
2004124276.tif 000002
【特許請求の範囲】
【請求項１】
コイルから交番磁界を発生させ、このコイルの上方に載置された金属製の調理器具を加熱する電磁式コンロを使用する際に用いられ、電磁式コンロの近傍に立つ調理者に向かって上記コイルから漏洩する磁束が、この調理者に作用しないように遮蔽する防磁手段を備えたことを特徴とする防磁エプロン。
【請求項２】
上記防磁手段は、調理者の少なくとも前面を覆う位置に設けられた磁性体で構成されたことを特徴とする請求項１記載の防磁エプロン。
【請求項３】
上記磁性体は、磁性材料からなる細い線材を平面状に編んだメッシュ材であることを特徴とする請求項２記載の防磁エプロン。
【請求項４】
上記磁性体は、磁性材料からなる箔状体もしくは薄板の何れかであることを特徴とする請求項２記載の防磁エプロン。
【請求項５】
上記防磁手段は、調理者の少なくとも前面を覆う位置に設けられた非磁性材料からなる箔状体もしくは薄板の何れかであることを特徴とする請求項１記載の防磁エプロン。
【請求項６】
上記箔状体もしくは薄板は、複数本の折り線にそって交互に折られジャバラ状に成形されていることを特徴とする請求項４または請求項５に記載の防磁エプロン。
【請求項７】
上記箔状体もしくは薄板は、複数に分割されていることを特徴とする請求項４または請求項５に記載の防磁エプロン。
【発明の詳細な説明】
【０００１】
【発明の属する技術分野】
本発明は、いわゆるＩＨ（Ｉｎｄｕｃｔｉｏｎ　Ｈｅａｔｉｎｇ）式コンロといわれる電磁式コンロを使用する際に用いられる防磁エプロンに関する。
【０００２】
【従来の技術】
電磁式コンロではガラス等の非磁性体からなる天板の下方に渦巻き状のコイルを配置している。このコイルに通電すると天板の上方に天板にほぼ平行な磁界が形成される。天板上に金属製の鍋等の調理器具を載置しておくと、磁界を形成する磁束が鍋の壁面を通過する際に、鍋の壁面内に渦電流が誘導される。
【０００３】
鍋を形成する金属材料の電気抵抗値が所定の値であれば誘導された渦電流によって鍋自体が発熱する。
【０００４】
ただし、磁束の方向が一定であれば渦電流は誘導されたあとすぐに消滅するので、コイルに２０ＫＨｚ程度の周波数の交流を印加し、調理器具に対して交番磁界を作用させることによって渦電流を連続して発生させている。
【０００５】
鉄などの磁性体材料は磁気抵抗が小さいので、磁性体材料で調理器具を作成すると、磁束は空中にあまり拡がることなく調理器具の内部を通過し、効率よく加熱することができる。ただし、アルミニウム等の非磁性体金属材料で調理器具を作成しても、磁束が調理器具を通過するようにコイルの形状を設計すれば調理器具内に渦電流を誘導することができ、十分に調理器具を加熱することができる。
【０００６】
なお、コイルで発生した磁束のすべてが調理器具を通過するわけではなく、磁束の一部が電磁式コンロの前面側に漏洩する場合が生じる。漏洩した磁束はコイルからの距離の２乗に反比例して減衰するので、電磁式コンロの前方に立って調理する調理者にほとんど作用することはない。ただし、調理者が調理中に極端に電磁式コンロに近づくと漏洩した磁束の一部が調理者の体に作用するおそれがある。
【０００７】
ところで、電磁式コンロとはまったく相違するがパソコンとのＯＡ機器から発せられる高周波から低周波の電磁波がパソコンの操作者に影響しないように、従来よりＯＡエプロンと呼ばれるものが知られている。
【０００８】
このようなものとして、繊維に非磁性体金属材料をメッキしたもので織った布地でエプロンを作成したものが知られている（特許文献１および特許文献２参照）。
【０００９】
【特許文献１】
特開平１０−８８４０９号公報（図４）
【００１０】
【特許文献２】
特開２０００−２２００１０号公報（請求項１）
【００１１】
【発明が解決しようとする課題】
漏洩磁束と調理者との間に磁性体材料を配置すると、漏洩磁束は磁性体内を通過するので、調理者側に貫通しない。なお、磁性体材料を用いると漏洩磁束が交番しているか否かにかかわらず、磁束は磁性体材料内を通過するので調理者側に貫通することはない。
【００１２】
一方、非磁性体金属材料を配設すると、磁束が非磁性体金属材料を通過しようとした瞬間は非磁性体金属材料内に誘導される渦電流によって磁束の貫通は阻止されるものの、磁束が交番しないとその後磁束は非磁性体を貫通する。ただし、電磁式コンロから漏洩する磁束は交番しているので、常に非磁性体金属材料内に渦電流が誘導され、調理者側に磁束が貫通することはない。なお、漏洩する磁束はきわめて少ないので非磁性体金属材料の発熱量も無視できる程度である。
【００１３】
ただし、非磁性体金属材料で有効に漏洩磁束の貫通を阻止するためには漏洩磁束に対して非磁性体金属材料がほぼ直角に位置する必要がある。ところが、上記特許文献１および特許文献２に記載されたものでは、共に非磁性体金属材料をメッキした繊維を用いているので、漏洩磁束に対して直角に位置する部分がきわめて少なく、仮にこれらのＯＡエプロンを調理時に身につけたとしても、漏洩磁束を有効にシールドすることができない。
【００１４】
そこで本発明は、上記の問題点に鑑み、漏洩磁束を有効にシールドすることのできるエプロンであって、非磁性体金属材料を用いた場合であっても漏洩磁束をシールドすることできる防磁エプロンを提供することを課題とする。
【００１５】
【課題を解決するための手段】
上記課題を解決するために本発明による防磁エプロンは、コイルから交番磁界を発生させ、このコイルの上方に載置された金属製の調理器具を加熱する電磁式コンロを使用する際に用いられ、電磁式コンロの近傍に立つ調理者に向かって上記コイルから漏洩する磁束が、この調理者に作用しないように遮蔽する防磁手段を備えたことを特徴とする。
【００１６】
特に、この防磁手段が、調理者の少なくとも前面を覆う位置に設けられた磁性体で構成されておれば、漏洩した磁束は磁気抵抗の小さな磁性体内を通過し、調理者に作用しない。
【００１７】
上記磁性体を、磁性材料からなる細い線材を平面状に編んだメッシュ材にすれば軽量化を図れる共に、通気性も確保できる。
【００１８】
ただし、上記磁性体を、磁性材料からなる箔状体もしくは薄板の何れかでもよく、この場合には漏洩磁束をより完璧にシールドすることができる。
【００１９】
一方、上記防磁手段は、調理者の少なくとも前面を覆う位置に設けられた非磁性材料からなる箔状体もしくは薄板の何れかで構成してもよい。
【００２０】
なお、上記箔状体もしくは薄板は、複数本の折り線にそって交互に折られジャバラ状に成形しておけば、エプロンを身につけた場合、特に前側に体を曲げる際にエプロンが容易に曲がって着心地が損なわれない。
【００２１】
なお、上記箔状体もしくは薄板は、複数に分割されていてもよい。
【００２２】
【発明の実施の形態】
図１を参照して、１は電磁式のコンロであり、渦巻き型のコイル１１を備えている。このコイル１１の上方にはガラス製の天板１２が配設されており、この天板１２に調理器具である鍋１３を載置して調理を行う。
【００２３】
コイル１１に交番電流を供給すると、鍋１３の主に鍋底部分を通過する交番磁束ＭＦが発生する。この交番磁束ＭＦが鍋１３の壁部を通過する際に壁部内に渦電流を誘導させ、この渦電流によって鍋１３の壁部自体が発熱する。
【００２４】
交番磁束ＭＦの一部は漏洩磁束ＬＭとしてコンロ１の前方に漏洩する。コンロ１の前方には調理者Ｃが位置しており、漏洩磁束ＬＭは調理者Ｃが身につけている防磁エプロン２によって遮蔽され、調理者Ｃに作用しない。
【００２５】
図２を参照して、防磁エプロン２の少なくとも前面に位置する防磁範囲２１に、漏洩磁束ＬＭの貫通を阻止する防磁手段を設けた。この防磁手段は、例えば金属箔を防磁範囲２１全面に貼着してもよく、あるいは図３に示すように金属製の薄板３を挟み込んでもよい。ただし、金属箔であれば十分に可撓性を有しているが、図３に示す実施の形態のように金属製の薄板３を挟み込む場合には防磁エプロン２を身につけた状態で調理者Ｃが体を前後に曲げられるように、複数本の折り線にそって交互に折られジャバラ状にした。なお、この金属箔もしくは金属製の薄板は共に磁性体の金属と非磁性体の金属とのいずれでもよい。
【００２６】
また、金属製の薄板を複数に分割してもよく、例えば図４に示すように、横長の短冊状に成形した金属製の薄板を防磁エプロン２と同じ布地で包んだ長方片４をエプロン２に縫い付けてもよい。この長方片４は上辺のみをエプロン２に縫い付け、かつ相互に少しずつ重なり合うように配置した。このように配置することにより、防磁エプロン２を身につけた調理者Ｃは体を前後に曲げることができる。
【００２７】
なお、上記長方片４と同様にして正方片５を作成し、図５に示すように鱗状になるように縫い付けてもよい。図４および図５に示した長方片４および正方片５は共に磁性体の金属と非磁性体の金属とのいずれを用いてもよい。
【００２８】
電磁コンロ１の電源をオフにして、調理者Ｃの位置での自然界の磁界強度を測定したところ、測定された磁束密度は０．２μテスラ（＝Ｂ０）であった。つぎに電磁コンロ１の漏洩磁界ＬＭの磁束密度Ｂ１を測定したところ、３．１３μテスラ（＝Ｂ１）であった。つぎに、０．８ｍｍ厚の鉄板を用いた上記各実施の形態の防磁エプロン２を測定器と電磁コンロ１との間に配置して磁束密度を測定したところ、０．４６μテスラ（＝Ｂ２）に減少していた。
【００２９】
これらの測定結果によれば、エプロン２によって吸収され、低減される磁界強度は２．６７μテスラ（＝Ｂ１−Ｂ２）、その低減の割合は９０％（＝（Ｂ１−Ｂ０）／２．６７×１００）であった。
【００３０】
また、同じく０．８ｍｍ厚のアルミ板を用いた各実施の形態のエプロンを用いたところ、低減される磁界強度は２．６１μテスラ（＝Ｂ１−Ｂ２）、その低減の割合は８８％（＝（Ｂ１−Ｂ０）／２．６７×１００）であった。
【００３１】
次に、図６に示すように、磁性体である鉄等の細線を編んだ網６を防磁エプロン２に挟み込んでもよい。この網６は隙間を多く有しているが、磁性体で形成されているので、漏洩磁束ＬＭは隙間を通過することなく、磁気抵抗の小さい細線内を通り、調理者Ｃ側に抜けることはない。この網６を用いた実施の形態でも上記各実施の形態と同等の８０％以上の減衰の割合を実現することができた。
【００３２】
図６では磁性体の金属材料を細線状にしたものを用いたが、フェライト等の磁性体粉末を樹脂内に混入し、繊維状にしたものを用いて網状に網状に編んだものを網６の代わりに用いてもよい。
【００３３】
【発明の効果】
以上に説明したように、この発明の電磁調理用エプロンによれば、電磁調理器を使って調理を行うときに、着用した人の動きを妨げないで、人体に対する漏洩磁界の影響を最小限度に抑制することができる。特に、非磁性体金属材料を用いた場合であっても有効に漏洩磁束をシールドすることができた。
【図面の簡単な説明】
【図１】本発明による防磁エプロンの使用状態を示す図
【図２】防磁エプロンの形状を示す図
【図３】第１の実施の形態を示す図
【図４】第２の実施の形態を示す図
【図５】第３の実施の形態を示す図
【図６】第４の実施の形態を示す図
【符号の説明】
１　電磁式のコンロ
２　防磁エプロン
３　薄板
４　長方片
５　正方片
６　網
【図１】
2004124276.tif 000003
【図２】
2004124276.tif 000004
【図３】
2004124276.tif 000005
【図４】
2004124276.tif 000006
【図５】
2004124276.tif 000007
【図６】
2004124276.tif 000008